(57)【特許請求の範囲】
【請求項１】
移動体電話通信網の加入者に転送された通話を処理する方法であって、前記移動体電話通信網は移動体電話加入者から成り、各移動体電話加入者はホーム通信網を有し、前記ホーム通信網には前記移動体電話加入者のロケーションに関する情報が登録されており、前記方法では、
通話転送に関する情報が加入者Ｂのホーム通信網に格納されており、前記加入者Ｂは自分に入ってくる通話の移動体電話加入者Ｃへの転送を指定する、そのような通話を処理する方法において、
加入者Ａから加入者Ｂへ宛てられた通話に応じ、
前記通話は加入者Ｃのホームロケーションレジスタをインテロゲートできるゲートウェイ交換機へ次いで前記ゲートウェイ交換機から加入者Ｃへルートされ、
前記通話についての情報から成る通話記録が前記ゲートウェイ交換機中に生成され、加入者Ｂが前記通話を転送した旨の告知が前記通話に加えられ、
加入者Ｂは前記ゲートウェイ交換機から加入者Ｃまでの経路に関して課金されることを特徴とする通話を処理する方法。
【請求項２】
前記通話は前記呼び出しを受けた加入者Ｂのホーム通信網の通信網エレメント経由でルートされ、前記通信網エレメントは前記通話のための通過点となることを特徴とする、上記請求項１に記載の方法。
【請求項３】
前記通話は通過点から、加入者Ｃの前記ホームロケーションレジスタをインテロゲートできるインテロゲート通信網エレメントへ次いで前記通信網エレメントから加入者Ｃへ、加入者Ｃのホーム通信網を通らずに直接ルートされることを特徴とする、上記請求項２に記載の方法。
【請求項４】
加入者Ｃの前記ホームロケーションレジスタには可能な限り直接的なルートで通話を必ずルートする指示が加えられており、
前記インテロゲート通信網エレメントはルーティング情報に関する照会を前記ホームロケーションレジスタへ送り、
前記ホームロケーションレジスタは前記通話を直接ルートでルートするルーティング情報を前記インテロゲート通信網エレメントへ返却し、
前記通話は前記直接ルートでルートされることを特徴とする、上記請求項３に記載の方法。
【請求項５】
前記インテロゲート通信網エレメントは、ルーティング情報に関する照会を前記ホームロケーションレジスタへ送り、全ケースで前記通話は可能な限り直接的なルートでルートされるべき旨を前記照会中で指定しており、
前記ホームロケーションレジスタは、直接ルートで前記通話をルートするルーティング情報を前記インテロゲート通信網エレメントへ返却し、
前記通話は前記直接ルートでルートされることを特徴とする、上記請求項３に記載の方法。
【請求項６】
請求書データを処理する請求書作成センタから成るシステム中の方法において、通話記録は前記請求書作成センタへ送られ、前記請求書作成センタにおいて加入者Ｃは前記通過点と加入者Ｃの間の通話経路全てに関して課金されることを特徴とする、上記請求項２に記載の方法。
【請求項７】
前記通話は加入者Ｂのホーム通信網を通らずに加入者Ｃへ直接ルートされることを特徴とする、上記請求項１に記載の方法。
【請求項８】
通話を処理する方法であって、前記呼び出しを受けた加入者Ｂは移動体電話加入者であり、通話転送に関する情報は加入者Ｂの前記ホームロケーションレジスタ中に格納される、そのような通話を処理する方法において、転送された通話をルートする段階が、
加入者Ｂの前記ホームロケーションレジスタをインテロゲートできるゲートウェイ交換機へ前記通話をルートする段階と、
ルーティング情報に関する要求を前記ゲートウェイ交換機から加入者Ｂの前記ホームロケーションレジスタへ送る段階と、
前記通話は加入者Ｃへ転送されるべき旨を加入者Ｂの前記ホームロケーションレジスタ中で決定する段階と、
ルーティング情報に関する要求を加入者Ｂの前記ホームロケーションレジスタから加入者Ｃの前記ホームロケーションレジスタへ送る段階と、
加入者Ｃの現ロケーションに関する情報を加入者Ｃの前記ホームロケーションレジスタから加入者Ｂの前記ホームロケーションレジスタへ返却する段階と、
前記ゲートウェイ交換機と加入者Ｃの間で直接ルートを使うことが加入者Ｂの通話費用を最小にするか否かをチェックする段階と、直接ルートを使うことが加入者Ｂの通話費用を最小にする場合に、
前記通話を前記ゲートウェイ交換機から加入者Ｃへ直接ルートするためのルーティング情報を加入者Ｂの前記ホームロケーションレジスタから前記ゲートウェイ交換機へ返却する段階とから成ることを特徴とする、上記請求項７に記載の方法。
【請求項９】
請求書データを処理するための請求書作成センタから成るシステム中の方法において、通話記録は前記請求書作成センタに送られ、前記請求書作成センタにおいて加入者Ｂは呼出加入者からの全通話経路の内の未課金部分について課金されることを特徴とする、上記請求項７に記載の方法。
【請求項１０】
請求書データを作成処理するための電話通信網システムのための請求書作成センタであって、前記電話通信網システムは加入者と切換エレメントから成り、
前記システム中で通話は移動体電話通信網の加入者に転送されてもよく、
前記移動体電話通信網は前記移動体電話加入者のロケーションに関する情報を格納するホームロケーションレジスタから成り、
通話転送に関する情報は加入者Ｂのホーム通信網中に格納され、加入者Ｂは自分に入ってくる通話の移動体電話加入者Ｃへの転送を指定しており、加入者Ａから加入者Ｂに宛てられた通話に応じ、
前記通話は加入者Ｃのホームロケーションレジスタをインテロゲートできるゲートウェイ交換機へ次いで前記ゲートウェイ交換機から加入者Ｃへルートされ、
前記通話に関する情報から成り、且つ、加入者Ｂが前記通話を転送した旨の告知を含んだ通話記録が生成される、そのような請求書作成センタにおいて、
前記請求書作成センタは切換エレメントから通話記録を受信し、更に
前記ゲートウェイ交換機と加入者Ｃの間の全通話経路について加入者Ｂに課金するよう適合化されていることを特徴とするビリングセンタ。
【請求項１１】
加入者と、移動体電話加入者のロケーションのような加入者情報を格納するホームロケーションレジスタと、ホームロケーションレジスタをインテロゲートできるゲートウェイ交換機のような切換エレメントとから成る電話通信システムであって、
前記システム中で通話は移動体電話通信網の加入者に転送されてもよく、
通話転送に関する情報は加入者Ｂのホーム通信網中に格納され、加入者Ｂは自分に入ってくる通話の移動体電話加入者Ｃへの転送を指定しており、加入者Ａから加入者Ｂに宛てられた通話に応じ、
前記通話は加入者Ｃのホームロケーションレジスタをインテロゲートできるゲートウェイ交換機へ次いで前記ゲートウェイ交換機から加入者Ｃへルートされ、
前記通話に関する情報から成り、且つ、加入者Ｂが前記通話を転送した旨の告知を含んだ通話記録が生成される、そのような電話通信システムにおいて、
前記電話通信システムは切換エレメント内の通話記録を生成し、更に
前記ゲートウェイ交換機と加入者Ｃの間の全通話経路について加入者Ｂに課金するよう適合化されていることを特徴とする電話通信システム。
【請求項１２】
自分への通話を加入者Ｃへ転送し加入者Ａに呼び出される移動体電話加入者Ｂへ宛てられた通話に応じて、
加入者Ｂの前記ホームロケーションレジスタをインテロゲートできるゲートウェイ交換機へ通話をルートし、
前記ゲートウェイ交換機から加入者Ｂの前記ホームロケーションレジスタへルーティング情報に関する要求を送り、
前記通話は加入者Ｃへ転送されるべき旨を加入者Ｂの前記ホームロケーションレジスタ中で決め、決定に応じて、
前記ゲートウェイ交換機に前記通話を加入者Ｂのホーム通信網中にある第二ゲートウェイ交換機へルートさせる旨のメッセージを加入者Ｂの前記ホームロケーションレジスタから前記ゲートウェイ交換機へ送り、
前記通話を前記第二ゲートウェイ交換機へルートし、
前記通話を前記第二ゲートウェイ交換機から加入者Ｃへルートするように適合化されていることを特徴とする、上記請求項１１に記載の電話通信システム。
【請求項１３】
自分への通話を加入者Ｃへ転送し加入者Ａに呼び出される移動体電話加入者Ｂへ宛てられた通話に応じて、
加入者Ｂの前記ホームロケーションレジスタをインテロゲートできるゲートウェイ交換機へ通話をルートし、
前記ゲートウェイ交換機から加入者Ｂの前記ホームロケーションレジスタへルーティング情報に関する要求を送り、
前記通話は加入者Ｃへ転送されるべき旨を加入者Ｂの前記ホームロケーションレジスタ中で決め、
ルーティング情報に関する要求を加入者Ｂの前記ホームロケーションレジスタから加入者Ｃの前記ホームロケーションレジスタへ送り、
加入者Ｃの現ロケーションに関する情報を加入者Ｃの前記ホームロケーションレジスタから加入者Ｂの前記ホームロケーションレジスタへ返却し、
前記ゲートウェイ交換機と加入者Ｃの間で直接ルートを使うことが加入者Ａ、Ｂの通話費用を最小にするか否かを加入者Ｂの前記ホームロケーションレジスタにおいて定め、直接ルートを使うことが加入者Ｂの通話費用を最小にする場合には、
加入者Ａのゲートウェイ移動体切換センタから加入者Ｃへ前記通話をルートするためのルーティング情報を加入者Ｂの前記ホームロケーションレジスタから前記ゲートウェイ交換機へ返却するように適合化されていることを特徴とする、上記請求項１１に記載の電話通信システム。
【請求項１４】
移動体電話通信網の加入者に転送された通話を処理するゲートウェイ交換機であって、前記移動体電話通信網は移動体電話加入者から成り、各移動体電話加入者はホーム通信網を有し、前記ホーム通信網には前記移動体電話加入者のロケーションに関する情報が登録され、通話転送に関する情報が加入者Ｂのホーム通信網に格納されており、前記加入者Ｂは自分に入ってくる通話の移動体電話加入者Ｃへの転送を指定する、前記ゲートウェイ交換機において、
前記ゲートウェイ交換機は、加入者Ｃのホームロケーションレジスタをインテロゲートでき、該ゲートウェイ交換機は、
加入者Ａから加入者Ｂへ宛てられた通話を受信し、
前記通話を加入者Ｃへルートし、
前記通話についての情報から成る通話記録を生成し、且つ、前記ゲートウェイ交換機から加入者Ｃまでの経路に関して加入者Ｂに課金するため、加入者Ｂが前記通話を転送した旨の告知を前記通話に加えるように構成されている、
ことを特徴とするゲートウェイ交換機。
【発明の詳細な説明】
発明の分野
本発明は移動体電話へ転送される通話の処理に関する。
発明の背景
通話転送は、現代の電話通信網で最も普通に行われているサービスの一つである。本サービスにより加入者は自分に宛てられた通話を別の加入者の番号へ転送するように指定できる。例えばベスが外出しシンディを訪問する場合、ベスは通話をシンディの所へ転送できる。加入者は自分への通話転送を種々の状況で指定できる。例えばＣＦＵ（無条件通話転送）サービスを起動させると、加入者への全通話は或る特定の番号に転送される。ＣＦＢ（話し中通話転送）サービスでは呼出された加入者が話し中の場合、通話は転送される。ＣＦＮＲｙ（無回答時通話転送）サービスを起動させると、加入者は自分への通話を例えば４つの警告音の後に回答がない場合に転送されるように指示する。移動体電話加入者の場合、ＣＦＮＲｃサービス（到達不能時通話転送）を定めることができる。ＣＦＮＲｃ時に通話が転送されるのは、加入者が移動体電話通信網のカバーエリア内にいないか又は電話を切っている場合である。
図１は転送される通話の課金原則と同様に、転送される通話のルーティングを示す。本図の呼出パーティＡはＢに通話をする。Ｂは自分への通話をＣに転送している。そのためにはＢに宛てられた通話を第三者Ｃに転送する指示をＢの交換機に与える。Ｂ、Ｃ両者は共に固定通信網の加入者である。Ａは固定通信網、移動体電話通信網のいずれの加入者であってもよい。通話はまずＡからローカル交換機ＬＥ（Ａ）経由しＢのローカル交換機ＬＥ（Ｂ）にルートされる。特定の通話転送に関する情報はＬＥ（Ｂ）に格納される。ＬＥ（Ａ）から通話確立要求を受信したＬＥ（Ｂ）は通話がＣに転送されるべきであることに気が付く。これに応じてＬＥ（Ｂ）はＣのローカル交換機ＬＥ（Ｃ）経由で通話を転送先パーティＣへルートする。ＬＥ（Ｂ）は通話の通過点となる。ＡからＬＥ（Ｂ）までの最初の通話経路は加入者Ａが支払う。ＬＥ（Ｂ）からＣまでの転送経路は加入者Ｂが支払う。
図２は通話が移動体電話加入者へ転送される状況を示す。本例のＡ、Ｂは両者とも固定通信網の加入者である。しかし両者共に移動体電話加入者であってもよく、プロセスに何ら顕著な変化は起こらない。本ケースを図１と比べた時の唯一の差はＬＥ（Ｂ）から加入者Ｃまでの間の経路である。これは移動体電話システムの基本的な特徴である、加入者のロケーションが固定されてないためである。従って接続を確立する以前に加入者のロケーションを確認する必要がある。
現代の移動体電話通信網では、通信網が移動体電話加入者のロケーションに関する情報を維持する。本アプリケーション例のＧＳＭ通信網では、本情報はホームロケーションレジスタＨＬＲと移動体切換センタＭＳＣに直結されたビジタロケーションレジスタＶＬＲとの間で配送されている。ＨＬＲは移動体電話加入者のホーム通信網内に存在し、加入者の不変情報と１つのＶＬＲエリアという精度で移動体電話加入者のロケーション情報を有している。ＶＬＲエリアは通常、１つの移動体切換センタにより支援される。加入者が現に訪問中のエリアに関して責任を持つビジテッド移動体切換センタＶＭＳＣのＶＬＲは、加入者の位置に関する更に精確な情報を有する。
ＬＥ（Ｂ）から加入者Ｃへの経路に関し、通話はまず加入者Ｃのゲートウェイ移動体切換センタＧＭＳＣ（Ｃ）へルートされる。ＧＭＳＣ（Ｃ）は基本的には加入者ＣのホームロケーションレジスタＨＬＲ（Ｃ）をインテロゲートできる任意のＭＳＣである。ＨＬＲの照会、即ちルーティング情報の照会を受信したＨＬＲは、加入者が現に訪問中のＶＬＲを確認し、前記ＶＬＲ即ちＶＬＲ（Ｃ）に、ローミング番号を求める要求ＰＲＮ（ローミング番号の提供）を送る。
これに応じＶＬＲ（Ｃ）は、本ＶＬＲ内の被呼出加入者を識別するローミング番号ＭＳＲＮ（移動体電話加入者ローミング番号）をＨＬＲ（Ｃ）へ返却する。ＨＬＲ（Ｃ）はＧＭＳＣ（Ｃ）へローミング番号を転送する。ＧＭＳＣ（Ｃ）は加入者ＣがＶＬＲ（Ｃ）のエリア内で通話を受信中である旨の通話情報に関する情報から成る通話記録を加える。受信した識別ＭＳＲＮとメッセージＩＡＭ（ＭＳＲＮ）（ＩＡＭ＝イニシャルアドレスメッセージ）使い、ＧＭＳＣ（Ｃ）は加入者Ｃが現に訪問中のＭＳＣであるＶＭＳＣ（Ｃ）への接続を確立する。受信したローミング番号に対応する被呼出加入者をアイデンティティ番号ＩＭＳＩ又はＴＭＳＩ（暫定移動体電話加入者アイデンティティ）で識別するため、ＶＭＳＣ（Ｃ）がＶＬＲ（Ｃ）に照会をすると、次にＶＬＲ（Ｃ）は本情報を返却する。本仕様書では、これを行うためＳＩＦＩＣ（入って来る通話用に情報を送る）とＣＣ（通話完了）のメッセージが使われる。被呼出加入者のアイデンティティを確認したＶＭＳＣ（Ｃ）は通話に関する最終的経路を被呼出加入者へ確立する。
ＧＳＭの課金原則の場合、呼出加入者は自分自身と被呼出加入者のホーム通信網ＨＰＬＭＮ（ＨＰＬＭＮ＝ホームパブリックランド移動体通信網）との間の経路を支払う。ルートの残りは被呼出加入者が負担する。これは、例えば被呼出加入者が遠い国を巡っている場合、呼出加入者は法外な高額を負担すべきでないという考え方である。本原則では、フィンランドの加入者Ａがホーム通信網をニュージーランドに持っているが現在フィンランドを巡っている加入者Ｂを呼び出すと、通話はニュージーランド経由でルートされる。加入者Ａはフィンランドからニュージーランドまでの経路を負担し、加入者Ｂはニュージーランドからフィンランドまでの経路を負担する。
この課金原則のため、転送をする加入者ＢはＬＥ（Ｂ）とＣのホーム通信網間の経路を負担し、加入者Ｃは自分のホーム通信網以降の経路を負担する。殆どのオペレータの場合、加入者のホーム通信網ＨＰＬＭＮ（ホームパブリックランド移動体通信網）中での通話受信には費用がかからないことが認識されねばならない。しかし自分のホーム通信網の外を巡っている加入者は、加入者自身のホーム通信網から自分が現に訪問中のＶＰＬＭＮ（ビジテッドパブリックランド移動体通信網）までのローミング経路を課金される。
この課金原則の問題は、通話を転送することが移動体電話加入者にフェアでないという点である。本原則を適用すると、転送された通話に答えるＧＳＭ加入者は、たとえ通話対象の受け手でなくともローミング経路に関して課金を請求される。例えばベスとシンディが一緒に海外を旅行している状況を考える。シンディが移動体電話を持ち、ベスは自分の固定電話に宛てられた電話をシンディの移動体電話に転送する。アンディがベスを呼び出すとアンディは当通話のローカル電話通話経路を課金される。ベスは自分の交換機からシンディのＨＰＬＭＮまでの経路を支払うが、その値段は移動体電話までの国内通話の値段である。シンディといえば、自分のＨＰＬＭＮから自分のＶＰＬＭＮまでのローミング経路を支払うことになる。多くの場合、ローミング経路は全体の通話経路の内で最も高い。従ってたとえ通話がアンディからベスへのものであっても、最も高く請求されるのはシンディである。
本発明の目的は先行技術における上記問題を解決することである。本目的は、独立請求項に定める方法と装置を使うことで達成される。
発明の概要
本発明では、通話を移動体電話加入者に転送した関係者は全てのローミング経路を支払うという新たな課金原則を提案する。
代表的実施例の場合、通話は自分への通話を転送するようにした加入者Ｂの交換機へまずルートされる。移動体電話加入者Ｃへ通話を転送すべき旨が決定されると、交換機は加入者Ｃのホームロケーションレジスタにインテロゲートすることができるゲートウェイ移動体電話切換センタＧＭＳＣへ通話をルートする。ＧＭＳＣは被呼出加入者Ｂが前記通話を転送した旨の情報を、通話の通話記録に付け加える。
通話に関する課金記録を生成する際、被呼出加入者ＢはＧＭＳＣと加入者Ｃの間の経路に関して課金される。従って加入者Ｃは加入者Ｂに宛てられた通話に関して支払いをする必要がない。加入者Ｂへの費用を最小にするためＧＭＳＣと加入者Ｃの間の経路に関して可能な限り直接のルートを使うことが好ましい。課金記録は請求書作成センタのようなＧＭＳＣ以外の通信網エレメントで作成されてもよい。
【図面の簡単な説明】
添付の概略図面を参照しながら、本発明について更に詳しく述べる。
図１は、転送される通話を示す。
図２、３は、移動体電話加入者へ転送される通話を示す。
図４は、移動体電話加入者への通話に関する普通のルーティングを示す。
図５は、移動体電話加入者の終了通話に関する最適ルーティングを示す。
図６は、移動体電話加入者への通話に関する直接ルーティングを示す。
図７、８は、通話確立手順に関する信号を示す。
発明の詳細な説明
本発明を実行するための技術的解決策を説明する。代表的解決策ではＩＳＵＰ（ＩＳＤＮユーザ部分）信号プロトコル仕様を使うことを仮定している。ここに選んだ信号プロトコルは使われるメッセーだけにしか効果を発揮していないが、本発明は他の幾つかの信号プロトコルを使っても実行できる。
ＩＳＵＰを使う場合、転送される通話に関して以下の信号情報を使用できる。
・リディレクティングインジケータ：通話が方向転換又はリルートされているか、更には通話中関係者への再送信情報の表示が制限されているか否かを示す情報が、両方向即ち転送する加入者の交換機から（下流）もその逆（上流）にも送られる。
・リディレクティング番号：通話が方向転換される場合、通話がどの番号から方向転換されたかを示す情報が、下流方向に送られる。
・リディレクティング理由：通話が複数の再送信を受けている場合、通話が再送信された理由を示す情報が、両方向に送られる。
・再送信カウンタ：或る通話で起こった再送信の回数を示す情報が、両方向に送られる。
・再送信インジケータ：通話が方向転換又はリルートされたか否かを示す情報が送られる。本インジケータは表示制限に関する情報も含んでいる。
・再送信情報：通話の方向転換又は再ルーティングに関する情報が、両方向に送られる。
・再送信番号：通話の再ルートされるべき番号又は転送された番号を示す情報が、上流方向に送られる。
・再送信番号制約インジケータ：転送されたユーザが自分の番号を表示してよいか否かを示す情報が、上流方向に送られる。
・再送信理由：再送信の理由を示すために通話方向転換及び再送信に関する情報パラメータ中に情報が送られる。
信号情報は、ＩＴＵが発行するＩＴＵ−Ｔ（ＩＴＵ＝国際電気通信連合、ＩＴＵ−Ｔ＝国際電気通信連合標準化部会）の推奨規格Ｑ．７６２とＱ．７６３により完全な形で示されている。
例を明確にするため、通話に関わる関係者については以下の名前を使う。
・アンディ：最初の通話発信関係者。ＧＳＭ加入者であるなしを問わない。
・ベス：通話の目標となる受け手。ＧＳＭ加入者であるなしを問わない。ベスは自分への通話をシンディに転送している。例におけるベスは自分への通話を全て転送するよう指示、即ちＣＦＵサービスを起動させている。
・シンディ：通話に対し最終的に答える移動体電話契約者。
通話がシンディのゲートウェイ交換機ＧＭＳＣ（Ｃ）経由でルートされるか否かにより、二つの異なる状況が考えられる。前者は現行ＧＳＭ通りであるが、後者はＥＴＳＩ（欧州電気通信連合研究機関）が現在定めているＧＳＭフェーズ２＋に含まれている最適ルーティング特性を実行する場合に可能になる。
まず最適ルーティングができない場合を調べる。本ケースを図４に示す。アンディがベスの番号をダイアルすることから手順は始まる。通話確立手順の中でアンディの交換機ＬＥ（Ａ）はダイアルされた番号を分析する。分析を基づいて交換機は接続の確立を要求するメッセージＩＡＭ（ＩＳＤＮ（Ｂ））をベスの交換機に送る。ＩＡＭメッセージ中で、ベスのＩＳＤＮ番号は被呼出パーティ番号、アンディのＩＳＤＮ番号は呼出パーティ番号として指定される。
ＩＡＭメッセージを受信したベスの交換機ＬＥ（Ｂ）は、データベースを参照しベスが自分への通話をシンディの移動体電話へ無条件で転送するよう指示していることを知る。ＬＥ（Ｂ）は、ＩＡＭメッセージ（ＭＳＩＳＤＮ（Ｃ））をシンディのゲートウェイＭＳＣであるＧＭＳＣ（Ｃ）を送る。同メッセージ中の再送信インジケータは通話が転送されたことを示す。リディレクティング番号はベスのＩＳＤＮ番号であり、リディレクティング理由はＣＦＵである。再送信カウンタの有する値は１である。被呼出パーティ番号はシンディのＭＳＩＳＤＮ番号であるＭＳＩＳＤＮ（Ｃ）であり、呼出パーティ番号はアンディのＩＳＤＮ番号であるＩＳＤＮ（Ａ）である。
メッセージＩＡＭ（ＭＳＩＳＤＮ（Ｃ））を受信したＧＭＳＣ（Ｃ）は、メッセージ中に含まれている再送信番号情報を検査する。ＧＭＳＣ（Ｃ）は通話が転送されたものであることを記し、転送をした加入者ベスのアイデンティティを生成された通話記録に加える。ＧＭＳＣ（Ｃ）はシンディのホームロケーションレジスタＨＬＲ（Ｃ）にルーティング情報を求めるＳＲＩ要求（ルーティング情報送り）を送る。メッセージを受信したＨＬＲ（Ｃ）はシンディが現に訪問中のＭＳＣのＶＭＳＣに直結されたビジタロケーションレジスタＶＬＲ（Ｃ）にローミング番号ＭＳＲＮ（移動局ローミング番号）について問い合わせる。ＶＬＲ（Ｃ）はＭＳＲＮを返却すると、ＨＬＲ（Ｃ）はＭＳＲＮをＧＭＳＣ（Ｃ）に転送する。ＧＭＳＣ（Ｃ）はメッセージＩＡＭ（ＭＳＩＳＤＮ（Ｃ））をＶＭＳＣ（Ｃ）に送り、ＶＭＳＣ（Ｃ）への接続を確立し、ＶＭＳＣ（Ｃ）は基地局制御装置ＢＳＣ（Ｃ）と基地送受信局ＢＴＳ（Ｃ）経由でシンディの移動体電話Ｃへの接続を確立する。メッセージ中に含まれた通話再送情報はＬＥ（Ｂ）からＧＭＳＣ（Ｃ）へ送られたＩＡＭメッセージ中に含まれたものと同じである。ＶＭＳＣ（Ｃ）は通話記録中に、通話がベスから転送された旨の情報を含んでいる。
通話が完了すると、生成された通話記録は請求書作成センタ（図示せず）又は請求書情報を処理する他の通信網エレメントに送られる。通話記録に基づきベスはＧＭＳＣ（Ｃ）からＶＭＳＣ（Ｃ）までのローミング経路が課金される。既存の通信網エレメントとプロトコルにおける唯一の違いは、転送される通話に関する通話記録情報と転送者のアイデンティティとを追加する機能である。更に、請求書作成センタが転送者即ちベスにローミング経路を課金するということを手配する必要がある。
最適ルーティングを使った場合、上述方法には幾つかの影響が出てくる。最適ルーティング法は現在のＥＴＳＩで標準となっている。本方法はＥＴＳＩ発行の仕様書ＧＳＭ０２．７９とＧＳＭ０３．７９で更に詳しく述べられている。最適ルーティング法の基本的考え方は、加入者Ａ、Ｂ間の最も直接的なルートを使って通話をルートさせるもので、図５に非転送通話を示す。被呼出加入者のホーム通信網のゲートウェイＭＳＣであるＧＭＳＣ（Ｂ）への接続を直ちに確立する代わりに、呼出加入者のゲートウェイＭＳＣであるＧＭＳＣ（Ａ）は被呼出加入者のホームロケーションレジスタＨＬＲ（Ｂ）へルーティング情報に関する要求ＳＲＩを送る。ＨＬＲ（Ｂ）はＢのビジタロケーションレジスタＶＬＲ（Ｂ）へ、ローミング番号について問い合わせ、ルーティング番号をＧＭＳＣ（Ａ）に転送する。ＧＭＳＣ（Ａ）はローミング番号を使い、被呼出加入者が訪問中のＶＭＳＣ（Ｂ）へ直接接続を確立する。従って通話は必ずしも加入者Ｂのホーム通信網経由でルートされず、理由はホーム通信網はＨＬＲ照会の場合のみ接触されるからである。最適ルーティングを使うと相互交換の通話費用を減らすことができ、従って全体の通話費用を減らせる。
ＧＳＭのオペレータの組織であるＧＳＭのＭｏＵ（理解に関するメモランダム）は、最適ルーティング実行時に満たすべき２つの条件を指定している。
１．最適ルーティングを使っても、どの加入者の通話費用も増えないこと（料金要件）。
２．少なくとも最初のフェーズのサービスでは、１通話経路が１加入者によって支払われること。
何故なら異なる経路によって生ずる費用を最適ルーティングの最初のフェーズで知ることは不可能だから、最適ルーティングが最初のフェーズで使われるのはＧＭＳＣ（Ａ）とＶＭＳＣ（Ｂ）の両者又はＶＭＳＣ（Ｂ）とＨＬＲ（Ｂ）の両者は同じ国内に存在する場合のみである。
最適ルーティングの目的は通話を可能な限り直接ルートすることにある。従って通話が転送されるべき加入者のロケーションに関する情報を要求するＨＬＲ照会は、通話確立手順中の可能な限り早い時期になされねばならない。呼出加入者と被呼出加入者と同じ移動体電話通信網に属しているなら、加入者ＡのゲートウェイＭＳＣであるＧＭＳＣ（Ａ）で照会することができる。呼出加入者ＡがＢと同じ移動体電話通信網の加入者でない場合、通話はＨＬＲ照会ができる通信網エレメントへルートされてもよい。
最適ルーティングが可能な場合の本発明による通話確立手順を図６に示す。図中のシンディは移動体電話加入者であり、アンディとベスも移動体電話加入者であるか又は彼等の交換機はＨＬＲインテロゲートができる。しかし提示した実施例の唯一の本質的な点は、ベスの交換機はシンディのホーム通信網の交換機に通話を最初にルートすることなくシンディのＨＬＲへインテロゲートできるという点である。
再度アンディがベスの電話番号にダイアルする手順から始めよう。電話番号を受信したアンディの交換機ＧＭＳＣ（Ａ）は番号を分析する。ベスが固定電話通信網加入者であるか又はアンディの通信網がＨＬＲ（Ｂ）にインテロゲートできない場合、アンディの交換機は番号分析に基づきベスの交換機へ、接続確立を要求するメッセージＩＡＭ（ＩＳＤＮ（Ｂ））を送る。ＩＡＭメッセージ中で、ベスのＩＳＤＮ番号であるＩＳＤＮ（Ｂ）は被呼出パーティ番号として、アンディのＩＳＤＮ番号は呼出パーティ番号として定義される。他方ベスが移動体電話加入者でありアンディの通信網がベスのホームロケーションレジスタＨＬＲ（Ｂ）をインテロゲートできる場合、ルーティング情報を要求する要求ＳＲＩがＨＬＲ（Ｂ）へ送られる。
一般に通話経路はただ一人の加入者により支払われる。従って本発明の好適実施例の通話は必ずＧＭＳＣ（Ｂ）経由でルートされる。理由はアンディからシンディへの直接ルートは、ベスからシンディ又はアンディからベスのルートよりも高くてよいからである。ＨＬＲ（Ｂ）＝ＨＬＲ（Ｃ）でない限り、ＨＬＲ（Ｂ）は加入者Ｃが何処にいるか知る手段を持っていない。従ってＨＬＲ（Ｂ）は料金要件に関係する決定を下すことができない。
上記理由のためＨＬＲ（Ｂ）は、ベスのホーム通信網の交換機ＧＭＳＣ（Ｂ）へ通話をルートするという命令をＧＭＳＣ（Ａ）（又はＨＬＲインテロゲートができるアンディの固定通信網交換機）へ返却する。これに応じＧＭＳＣ（Ａ）は分析に基づき、接続確立を要求するメッセージＩＡＭ（ＩＳＤＮ（Ｂ））をＧＭＳＣ（Ｂ）に送る。ＩＡＭメッセージ中では、ベスのＩＳＤＮ番号であるＩＳＤＮ（Ｂ）は被呼出パーティ番号として、アンディのＩＳＤＮ番号であるＩＳＤＮ（Ａ）は呼出パーティ番号として指定される。ＩＡＭメッセージを受信したＧＭＳＣ（Ｂ）はＧＭＳＣ（Ｂ）をインテロゲートする。ＨＬＲ（Ｂ）は通話転送（ＣＦ）データを返却する。
ＧＭＳＣ（Ｂ）はシンディの番号をＧＳＭ番号として認識し、ローミング番号を求めてＨＬＲ（Ｃ）をインテロゲートし、通話を直接ＶＭＳＣ（Ｃ）にルートする。本発明によるとＢは、ＧＭＳＣ（Ｂ）からシンディのホーム通信網ＨＰＬＭＮ（Ｃ）までの経路とＨＰＬＭＮ（Ｃ）からＣまでの経路の両方を支払うことになる。従ってＧＭＳＣ（Ｂ）とＣの間の直接ルーティングはＢにとって必ず安くなる。最適ルーティング用に料金要件をバイパスする方法はＦＩ９７３９９６に提示されているが、本出願の出願時点では未公開である。言及した出願に提示されている本発明の基本的考え方は、直接ルーティング用に料金要件から独立して通話を直接ルートするための条件を指定することである。
言及した出願に提示されている一実施例では、２人以上の加入者から成る事前に定められたユーザグループ内の通話は必ず直接ルートされる。従ってベスが転送した通話に関する料金要件をバイパスする注記をＨＬＲ（Ｃ）中に格納されたシンディの加入者情報へ加えることで、ＧＭＳＣ（Ｂ）からＣまでの経路は直接ルートを必ず使うものとして指定できる。言及した出願に提示されている別の実施例の通話は、通話ベースで直接ルートされるように指定される。これは、通話は直接ルートされるべき旨を指示したフラッグを通話情報に加えることで達成可能になる。従ってＧＭＳＣ（Ｂ）はＨＬＲ照会の際に、ＨＬＲ（Ｃ）へ送られる通話情報に直接ルーティングフラッグを加える。
ＧＭＳＣ（Ｂ）とＣの間の通話は直接ルート通話として指定される故、ＨＬＲ（Ｃ）はシンディのビジタロケーションレジスタＶＬＲ（Ｃ）にローミング番号を求めるＰＲＮ要求を送る。ＶＬＲ（Ｃ）がメッセージＰＲＮＡＣＫでローミング番号ＭＳＲＮを返却すると、これをＨＬＲ（Ｃ）はメッセージＳＲＩＡＣＫでＧＭＳＣ（Ｂ）へと中継する。次にＧＭＳＣ（Ｂ）は受信したＭＳＲＮを使いＶＭＳＣ（Ｃ）への接続を直接確立する。更にＧＭＳＣ（Ｂ）は、通話はベスにより転送された旨の告知を通話情報に加える。
通話が完了すると、生成された通話記録は請求書作成センタ（不図示）又は請求書情報を処理する他の通信網エレメントに送られる。通話記録に基づき、ベスはＧＭＳＣ（Ｂ）からシンディまでの全経路について課金される。
本発明の上記実施例を実行するには、既存プロトコルは変更しなくてよくＧＭＳＣとＨＬＲの両機能だけを変更すればよい。現行の切換装置内で生成される通話記録に適当な通話転送情報が含まれている場合、一部を請求書作成センタで実行できる。本発明による請求書作成センタは、切換エレメントから通話記録を受信し通過点と加入者Ｃ間の全ての経路について加入者Ｂに課金するよう適合化されている。
本発明の更に別の実施例は、通話はベスによりＨＬＲ（Ｃ）へ転送されるべき旨の情報を合図する手段を備えている。この場合、通話は加入者Ｂのホーム通信網を通らず直接加入者Ｃへルートできる。本実施例の実行を図７、８に示す。
図７の実施例でＧＭＳＣ（Ａ）はまず、被呼出加入者Ｂを識別するルーティング情報を求める要求ＳＲＩ（ＭＳＩＳＤＮ（Ｂ））をＨＬＲ（Ｂ）に送る。メッセージを受信したＨＬＲ（Ｂ）は、被呼出加入者Ｂが自分の通話を加入者Ｃへ転送していると決定する。これに応じてＨＬＲ（Ｂ）は、入ってくる通話は加入者Ｂにより加入者Ｃへ転送されている旨決定するルーティング情報を求める要求ＳＲＩＨ（ＭＳＩＳＤＮ（Ｃ）、ＦＷ）を直接ＨＬＲ（Ｃ）へ送る。本要求を受信したＨＬＲ（Ｃ）は加入者Ｃの現在のＶＬＲアドレスであるＶＬＲ（Ｃ）を決定しローミング番号を求める要求ＰＲＮをＶＬＲ（Ｃ）へ送る。ＶＬＲ（Ｃ）はローミング番号をＨＬＲ（Ｃ）に返却すると、ＨＬＲ（Ｃ）はメッセージＳＲＩＨａｃｋでローミング番号をＨＬＲ（Ｂ）へ転送する。ＨＬＲ（Ｂ）は直接ルートが料金要件、即ち直接ルートを使ってもアンディもベスもＧＭＳＣ（Ｂ）経由の間接ルートを使う場合よりも高額を支払うことがないこと、を満たすか否かチェックする。最適ルーティングの最初のフェーズで、ＧＭＳＣ（Ａ）からシンディまでの直接ルートがＧＭＳＣ（Ａ）からＧＭＳＣ（Ｂ）までの経路よりも安ければ本要件は満たされる。料金要件が満たされると、ＨＬＲ（Ｂ）はメッセージＳＲＩａｃｋでローミング番号をＧＭＳＣ（Ａ）へ転送する。本メッセージを受信したＧＭＳＣ（Ａ）は直接ルートで加入者Ｃへの接続を確立する。要件が満たされないと、ＨＬＲ（Ｂ）はＧＭＳＣ（Ａ）へメッセージＳＲＩｅｒｒｏｒを送ることになり、これに応じてＧＭＳＣ（Ａ）は加入者Ｂのゲートウェイ交換機ＧＭＳＣ（Ｂ）への接続を確立する。ＧＭＳＣ（Ｂ）は本出願の最初の部分に提示されたルーティング手順を継続する。
図８の実施例でＧＭＳＣ（Ａ）はルーティング情報を求める要求ＳＲＩＨ（ＭＳＩＳＤＮ（Ｂ））をＨＬＲ（Ｂ）に送る。ＨＬＲ（Ｂ）は、被呼出加入者Ｂが自分への通話を加入者Ｃに転送していると決定し、図７の場合と同様、ルーティング情報を求める要求ＳＲＩＨ（ＭＳＩＳＤＮ（Ｃ）、ＦＷ）をＨＬＲ（Ｃ）に送る。本要求を受信したＨＬＲ（Ｃ）は加入者Ｃの現在のアドレスＶＬＲ（Ｃ）を決定し、アドレスＶＬＲ（Ｃ）をメッセージＳＲＩＨａｃｋでＨＬＲ（Ｂ）に返却する。ＨＬＲ（Ｂ）は直接ルートが料金要件、即ち直接ルートを使ってもアンディもベスもＧＭＳＣ（Ｂ）経由の間接ルートを使う場合よりも高額を支払うことがないこと、を満たすか否かチェックする。本要件が満たされると、ＨＬＲ（Ｂ）はローミング番号を求める要求ＰＲＮをＶＬＲ（Ｃ）に送る。ＶＬＲ（Ｃ）がローミング番号をＨＬＲ（Ｂ）に送ると、ＨＬＲ（Ｂ）はローミング番号をメッセージＳＲＩａｃｋでＧＭＳＣ（Ａ）に送る。本メッセージを受信したＧＭＳＣ（Ａ）は直接ルートで加入者Ｃへの接続を確立する。要件が満たされないと、ＨＬＲ（Ｂ）はＧＭＳＣ（Ａ）にメッセージＳＲＩｅｒｒｏｒを送ることになり、これに応じてＧＭＳＣ（Ａ）は加入者Ｂのゲートウェイ交換機ＧＭＳＣ（Ｂ）への接続を確立する。ＧＭＳＣ（Ｂ）は本出願の最初の部分に提示されたルーティング手順を継続する。
図７、８の実施例は、二つのホームロケーションレジスタ間の対話のための機構を有さない現ＧＳＭ仕様に合致しないことに注意されたい。
上記の代表的実施例で、本発明はＩＳＵＰプロトコルを利用したシステム中で実行される。しかし本発明の範囲はＩＳＵＰプロトコルを利用したシステムに限られるものではない。信号プロトコルに関する唯一の制約は、使われるプロトコルは転送される通話に関する必要情報を交換機の間で転送するための手段を提供しなければならないという点である。同様に加入者Ｃは、必ずしも本例のようにＧＳＭ加入者でなくともよい。加入者Ｃは、同じ課金原則が使われる他の任意の移動体電話通信網の加入者であってもよい。本発明は任意の通話転送サービスに使用でき、例に使われているＣＦＵサービスに限られるものではない。
【図１】
0004755324.tif 000002
【図２】
0004755324.tif 000003
【図３】
0004755324.tif 000004
【図４】
0004755324.tif 000005
【図５】
0004755324.tif 000006
【図６】
0004755324.tif 000007
【図７】
0004755324.tif 000008
【図８】
0004755324.tif 000009